(57)【特許請求の範囲】
【請求項１】
ベースプレートと、そのベースプレート上に設けられたホルダ部を遊挿する一対の平行なスライドロッドとを有し、前記両スライドロッドの端部にルータを連結可能としたルータ用ストレートガイドであって、
前記ホルダ部内における前記スライドロッドの間に、両端が夫々前記スライドロッドに当接するスペーサを設け、前記ホルダ部における前記スライドロッドとの直交方向での一端部に、ねじ込み操作により前記一方のスライドロッドに当接して前記スペーサ側へ押圧可能な一つのネジ部材を螺合させる一方、他端部における前記他方のスライドロッドの遊挿孔の内縁を、前記他方のスライドロッドにおける前記スペーサと反対側の側面に当接させて、前記ネジ部材の回転操作により、前記遊挿孔の内縁との間で前記スペーサを介した前記両スライドロッドの同時ロックと同時ロック解除とを可能としたことを特徴とするルータ用ストレートガイド。
【発明の詳細な説明】
【０００１】
【発明の属する技術分野】
本発明は、ルータのベースに連結され、ワーク等に沿ってルータの直線移動をガイドするルータ用ストレートガイド（平行定規）に関する。
【０００２】
【従来の技術】
上記ルータ用ストレートガイド（以下「ストレートガイド」という。）は、ワーク等の端縁に沿ってスライド可能なベースプレートと、そのベースプレート上のホルダ部を遊挿する一対の平行なスライドロッドとを有し、スライドロッドの端部にルータのベースが連結される。又、ホルダ部には、スライドロッドをロック可能なロック手段が設けられて、スライドロッドのスライド位置を調整することで、ルータの切削位置を調整可能となっている。このロック手段としては、ホルダ部の左右から夫々螺合されるツマミネジの先端をスライドロッドの側面に押圧させる構造が知られている（例えば米国特許５２９９６０９号におけるツマミネジ２０，２０）。
【０００３】
【発明が解決しようとする課題】
上記ロック手段においては、スライドロッドのロックとロック解除との何れにおいても２つのツマミネジを夫々回転操作する必要があるため、スライド位置の調整が面倒となり、操作性が悪い。
【０００４】
そこで、請求項１に記載の発明は、スライドロッドの調整作業をより簡単な操作で行うことができるルータ用ストレートガイドを提供することを目的としたものである。
【０００５】
【課題を解決するための手段】
上記目的を達成するために、請求項１に記載の発明は、ホルダ部内におけるスライドロッドの間に、両端が夫々スライドロッドに当接するスペーサを設け、ホルダ部におけるスライドロッドとの直交方向での一端部に、ねじ込み操作により一方のスライドロッドに当接してスペーサ側へ押圧可能な一つのネジ部材を螺合させる一方、他端部における他方のスライドロッドの遊挿孔の内縁を、他方のスライドロッドにおけるスペーサと反対側の側面に当接させて、ネジ部材の回転操作により、遊挿孔の内縁との間でスペーサを介した両スライドロッドの同時ロックと同時ロック解除とを可能としたことを特徴とするものである。
【０００６】
【発明の実施の形態】
以下、本発明の実施の形態を図面に基づいて説明する。
図１は、ルータ用ストレートガイド（以下本形態では「ストレートガイド」という。）１の平面図、図２はその側面図で、ストレートガイド１は、図の左端面に任意のスライド位置で固定可能なスライド体３，３を備えた扇状のベースプレート２と、ベースプレート２の右側中央に形成される平板状のガイド部４上にあって、ガイド部４と直交状に配置されるホルダ部としてのガイドホルダ５と、ガイドホルダ５へ直交状に遊挿される一対のスライドロッド６，６とを有し、スライドロッド６，６の左側端部に、ルータのベースへ差し込み装着可能な一対の連結棒７，７が平行に突設されている。
【０００７】
ガイドホルダ５は、長手方向の拡大断面を示す図３の如く、下端中央にベースプレート２のガイド部４が嵌合する切除部８を有してガイド部４に沿ってスライド可能にセットされる。一方、ガイド部４の先端には、連結片９が立設されると共に、その連結片９に、ノブ１１を一端に固着した調整ネジ１０がガイド部４と平行に螺合して、他端をガイドホルダ５の中央側面へ回動可能に連結させている。１２は、連結片９とガイドホルダ５との間で調整ネジ１０に外装されたコイルバネである。
よって、ガイドホルダ５は、ノブ１１の操作による調整ネジ１０の回転ネジ送りで、ガイド部４に沿って微動可能となり、ガイドホルダ５の一方の端部にガイド部４へ向けて螺合させたツマミネジ１３をねじ込み、先端部１４をガイド部４の側方へ押圧させることで、ガイド部４の任意の位置で固定可能となっている。
【０００８】
一方、ガイドホルダ５の内部では、両スライドロッド６，６は、ガイドホルダ５の左右に穿設された遊挿孔１５，１５及び１６，１６を貫通しており、遊挿孔１６，１６におけるスライドロット６の外方側の内縁は、支持部として、スライドロッド６の側面に当接するＶ字状に形成されている。又、ガイドホルダ５におけるスライドロッド６，６の間には、プレート状のスペーサ１７が直交状に配置されて、円弧状に切欠いた両端部を夫々スライドロッド６の側面へ当接させている。１８，１８は、スペーサ１７の長手側縁中央に突設された突起で、ガイドホルダ５への収容状態で、ガイドホルダ５の底面中央に形成された溝１９に嵌合して、スペーサ１７の位置決めがなされるようになっている。尚、両側縁に設けたのは、スペーサ１７のどちらの側縁が下になっても位置決めできるようにするためである。更に、２０はガイドホルダ５の上面に形成され、スペーサ１７の出し入れのためのスリットで、ガイドホルダ５の上面には、収容時にスペーサ１７が脱却しないように、スリット２０の一部を塞ぐ格好でネジ２１が螺合されている。
そして、ガイドホルダ５におけるツマミネジ１３の螺合側と反対の端部にも、スペーサ１７との同一直線上でネジ部材としてのツマミネジ２２がスライドロッド６の側面へ向けて螺合され、ツマミネジ２２をねじ込むことで、先端部２３をスライドロッド６の側面へ押圧可能となっている。
【０００９】
以上の如く構成されたストレートガイド１においては、ツマミネジ２２をガイドホルダ５へねじ込まない状態では、スライドロッド６，６はガイドホルダ５に対して自由にスライドできるため、スライドロッド６，６のスライド位置を図１から図４のように任意に調整可能となる。調整後は、ツマミネジ２２をガイドホルダ５へねじ込む方向へ回転操作すると、先端部２３が一方のスライドロッド６の側面に当接してこれを押圧する。すると、スペーサ１７へも押圧力が加わって他方のスライドロッド６を押圧するが、このスライドロッド６は、ガイドホルダ５の遊挿孔１６，１６の内縁に当接するため、スライドロッド６，６は、スペーサ１７を介した状態で、遊挿孔１６，１６の内縁とツマミネジ２２の先端部２３とによって狭持固定される。よって、両スライドロッド６，６は当該スライド位置でガイドホルダ５へ同時にロックされることになる。
【００１０】
尚、ここから更に微調整を行う場合は、ツマミネジ１３を緩めた状態でノブ１１を回動操作すれば、ガイドホルダ５がスライドロッド６，６と一体に調整ネジ１０の軸方向へネジ送りされるため、任意の位置へ微調整後、ツマミネジ１３を締め付ければ良い。よって、図５のように連結棒７，７にルータ２４のベース２５を固定した状態で、ベースプレート２のスライド体３をワークＷの側面に当接させれば、ルータ２４をワークＷの側面と平行に直線移動させることができる。
又、スライドロッド６，６のロックを解除する場合は、ツマミネジ２２を緩めれば、ツマミネジ２２の先端部２３と遊挿孔１６，１６の内縁との間でのスライドロッド６，６の押圧が同時に解除されるため、再びスライド自在となる。
【００１１】
このように上記形態のストレートガイド１によれば、ガイドホルダ５内におけるスライドロッド６，６の間にスペーサ１７を設け、ガイドホルダ５の一端部に、ねじ込み操作により一方のスライドロッド６に当接してスペーサ１７側へ押圧可能なツマミネジ２２を螺合させる一方、他端部に、他方のスライドロッド６におけるスペーサ１７と反対側の側面に当接する遊挿孔１６，１６の内縁を設けて、ツマミネジ２２の回転操作により、遊挿孔１６，１６との間で両スライドロッド６，６の同時ロックと同時ロック解除とを可能としたことで、スライドロッド６，６の調整操作が容易となって操作性が向上する。又、ツマミネジ２２の数の減少により製造コストの低減も可能となる。
又、スペーサ１７の反対側に位置するスライドロッド６，６の支持部に、ガイドホルダ５における遊挿孔１６，１６の内縁を利用しているから、遊挿孔１６を支持部と兼用した合理的な構成となり、支持部が簡単に形成可能となる。
【００１２】
尚、スペーサの形状は、上記形態のようなプレート状に限らず、棒状体であっても良いし、両端の形状も湾曲状以外にＶ字状等とすることができる。更に、ガイド部の形態も、上記ガイドホルダのように別体でベースプレートにセットされて微調整可能なものに限らず、ベースプレート上に固定されるものであっても本発明は適用可能である。
【００１３】
【発明の効果】
請求項１に記載の発明によれば、ホルダ部内におけるスライドロッドの間に、両端が夫々スライドロッドに当接するスペーサを設け、ホルダ部におけるスライドロッドとの直交方向での一端部に、ねじ込み操作により一方のスライドロッドに当接してスペーサ側へ押圧可能な一つのネジ部材を螺合させる一方、他端部における他方のスライドロッドの遊挿孔の内縁を、他方のスライドロッドにおけるスペーサと反対側の側面に当接させて、ネジ部材の回転操作により、遊挿孔の内縁との間でスペーサを介した両スライドロッドの同時ロックと同時ロック解除とを可能としたことで、スライドロッドの調整操作が容易となって操作性が向上する。又、ネジ部材の数の減少により製造コストの低減も可能となる。
【図面の簡単な説明】
【図１】ルータ用ストレートガイドの平面図である。
【図２】ルータ用ストレートガイドの側面図である。
【図３】ガイドホルダの長手方向の拡大断面図である。
【図４】スライドロッドをスライドさせた状態のルータ用ストレートガイドの平面図である。
【図５】ルータ用ストレートガイドの使用状態の説明図である。
【符号の説明】
１・・ルータ用ストレートガイド、２・・ベースプレート、４・・ガイド部、５・・ガイドホルダ、６・・スライドロッド、１３，２２・・ツマミネジ、１７・・スペーサ。
【図１】
0003729391.tif 000002
【図２】
0003729391.tif 000003
【図３】
0003729391.tif 000004
【図４】
0003729391.tif 000005
【図５】
0003729391.tif 000006